(57)【特許請求の範囲】
【請求項１】
５角形および６角形に形成され、かつサッカーボール等の表面形状に応じた所定の曲率の曲面を有する２種類の形状を有する単位ピースを備え、５角形の単位ピースはその各辺すべてに接続片が装着される嵌合溝もしくは嵌合孔を有し、６角形の単位ピースは、その各辺すべてに接続片を突設した第１の単位ピースと、第１の単位ピースの接続片が装着される辺のみに嵌合溝もしくは嵌合孔を設けた第２の単位ピースとを組合せて備えており、前記単位ピースの各辺が、サッカーボール等の球状の中心からの延長線上に位置する垂下片を有していて、接続片と嵌合溝もしくは嵌合孔とがこの垂下片に配置されており、かつ前記各辺に設けた接続片が少なくとも１対の接続片からなっていて、先端に向かって幅を狭めたり、あるいは広げたりするテーパ状に形成されていることを特徴とするサッカーボール等のパズル状組立構造。
【請求項２】
各単位ピースが、プラスチック成形品である請求項１に記載のサッカーボール等のパズル状組立構造。
【発明の詳細な説明】
【０００１】
【発明の属する技術分野】
この発明はサッカーボールや、バスケットボール、その他の球技用ボールを記念品や置物、貯金箱、組立玩具として利用可能とした、サッカーボール等のパズル状組立構造に関するものである。
【０００２】
【従来の技術】
従来、サッカーボール等のパズル状組立構造として、木製やプラスチック、あるいは金属などを使用して、例えば６角形と５角形の各単位パネルを複数個づつ作成し、これらを種々の連結手段を用いて組み立てたものが知られている。例えば、上記連結手段としては下記のようなアイデアが提案されている。
ａ）実開平 ６− ４６７８５号公報６角形と５角形の各単位パネルを、磁性体を用いて連結しようとするものである。
ｂ）実開平 ７− ２８５９２号公報６角形と５角形の各単位パネルを、各辺に設けた溝にコード状の接続具をはめ込んで連結しようとするものである。
ｃ）登録実用新案第３００１０７９号公報６角形と５角形の各単位パネルを、ベース部材上に嵌込部材をはめ込んで連結しようとするものである。
ｄ）登録実用新案第３０１９８２６号公報６角形と５角形の各単位パネルを、一方のパネルに直角に植設した差込みピンを、他方のパネルに設けた差込み孔に差し込んで連結しようとするものである。
ｅ）登録実用新案第３０５５８９６号公報６角形と５角形の各単位パネルを、各パネル間を点付け溶接して連結しようとするものである。
ｆ）登録実用新案第３０７６６８４号公報６角形と５角形の各単位パネルを、各パネル間を接着剤で接着して連結しようとするものである。
【０００３】
【発明が解決しようとする課題】
しかしながら上記従来例においては、連結手段が上記ａ）ないしｃ）のように磁性体やコード状の接続具、ベース部材等の付属部品を使用したり、ｅ），ｆ）のように溶接や接着剤を用いた接続手段であった。したがって、パズル状に形成したものであっても、簡単にパズルのように組立が可能であるとはいえないものであった。
【０００４】
またｄ）のように、６角形と５角形の各単位パネルを、一方のパネルに直角に植設した差込みピンを、他方のパネルに設けた差込み孔に差し込んで連結しようとするものにおいては、パズルのように簡単に組み付けられることは好ましいことである。しかしながら、差込みピンを上記差込み孔にはめ込む際に、差込み孔を設けた連結片に対して大きな負荷がかかりやすく、耐久性が損なわれやすいという欠点があった。
【０００５】
この発明は従来例の以上の欠点を解消しようとするもので、簡単にパズルのように組立が可能であり、しかも接合部分に大きな負荷がかかることがほとんどないので、耐久性が大幅に向上したサッカーボール等のパズル状組立構造を提供するものである。
【０００６】
【課題を解決するための手段】
すなわちこの発明のサッカーボール等のパズル状組立構造は、５角形および６角形に形成され、かつサッカーボール等の表面形状に応じた所定の曲率の曲面を有する２種類の形状を有する単位ピースを備え、５角形の単位ピースはその各辺すべてに接続片が装着される嵌合溝もしくは嵌合孔を有し、６角形の単位ピースは、その各辺すべてに接続片を突設した第１の単位ピースと、第１の単位ピースの接続片が装着される辺のみに嵌合溝もしくは嵌合孔を設けた第２の単位ピースとを組合せて備えており、前記単位ピースの各辺が、サッカーボール等の球状の中心からの延長線上に位置する垂下片を有していて、接続片と嵌合溝もしくは嵌合孔とがこの垂下片に配置されており、かつ前記各辺に設けた接続片が少なくとも１対の接続片からなっていて、先端に向かって幅を狭めたり、あるいは広げたりするテーパ状に形成されていることを特徴とするものである。
【０００７】
【０００８】
【０００９】
【００１０】
【００１１】
この発明のサッカーボール等のパズル状組立構造は、上記各単位ピースが、プラスチック成形品であることをも特徴とするものである。
【００１２】
この発明のサッカーボール等のパズル状組立構造は以上のように構成したので、簡単にパズルのように組立が可能であり、しかも接合部分に大きな負荷がかかることがほとんどないので、耐久性が大幅に向上したサッカーボール等のパズル状組立構造を提供することが可能となった。
【００１３】
【発明の実施の形態】
以下、この発明のサッカーボール等のパズル状組立構造の実施の形態を図面に基いて詳細に説明する。図１はサッカーボール等のパズル状組立構造の１実施例を示し、６角形の単位ピースの斜視図、図２はその背面図、図３はその断面図、図４は５角形の単位ピースの斜視図、図５はその背面図、図６は６角形の単位ピースと５角形の単位ピースとを組み付けた状態の部分背面図、図７はその断面図、図８は組立完了時の側面図、図９は単位ピースを一部取り除いた状態の斜視図、図１０は組立完了時の各単位ピースの輪郭線を示す図である。
【００１４】
図１ないし図３において、６角形の単位ピース１は透明ないし着色プラスチックの成形品であることが望ましい。そしてこの６角形の単位ピース１は、サッカーボール等の表面形状に応じた所定の曲率の曲面を有するよう成形されており、単位ピース１の各辺に対してほぼ直角の向きで上記曲率に沿って突設された接続片３を備えている。なお、この６角形の単位ピース１は少なくとも２種類成形されており、第１の単位ピース１ａはその各辺のすべてに接続片３が突設してある。また第２の単位ピース１ｂは、第１の単位ピース１ａの接続片３が装着される辺のみに嵌合溝もしくは嵌合孔４を設けたものとなっている。
【００１５】
上記単位ピース１の各辺は、サッカーボール等の球状の中心からの延長線上に位置する切断面を有するように成形されている。特に、単位ピース１の各辺には、サッカーボール等の球状の中心からの延長線上に位置する垂下片２が形成されている。そして、上記接続片３と嵌合溝もしくは嵌合孔４は、この垂下片２に位置するように成形されている。上記垂下片２は、その内壁は対向する垂下片２の内壁と平行であり、そして外壁がサッカーボール等の球状の中心からの延長線上に位置するように形成され、したがって、先端に向かって薄肉となっていく。
【００１６】
図４および図５において、５角形の単位ピース５も透明ないし着色プラスチックの成形品であることがも望ましい。そしてこの５角形の単位ピース５も、サッカーボール等の表面形状に応じた所定の曲率の曲面を有するよう成形されており、単位ピース５の各辺に対してほぼ直角の向きで上記曲率に沿って形成された嵌合溝もしくは嵌合孔７を備えている。この５角形の単位ピース５はその各辺のすべてに接続片３が装着される嵌合溝もしくは嵌合孔７を設けたものとなっている。
【００１７】
上記単位ピース５の各辺は、サッカーボール等の球状の中心からの延長線上に位置する切断面を有するように成形されている。特に、単位ピース５の各辺には、サッカーボール等の球状の中心からの延長線上に位置する垂下片６が形成されている。そして、上記嵌合溝もしくは嵌合孔７は、この垂下片６に位置するように成形されている。
【００１８】
上記各単位ピース１および５は、図６および図７のように組み付けられる。すなわち、５角形の単位ピース５の嵌合溝もしくは嵌合孔７には、６角形の第１および第２の単位ピース１ａ，１ｂの接続片３が装着される。６角形の単位ピース１どうしは、第１の単位ピース１ａの接続片３を第２の単位ピース１ｂの嵌合溝もしくは嵌合孔４にはめ込むことにより連結される。
【００１９】
５角形の単位ピース５と６角形の単位ピース１とを上述のようにして連結していくと、球状のサッカーボール等のパズル状組立構造が完成する。なお、５角形の単位ピース５の嵌合溝もしくは嵌合孔７としては、サッカーボール等のパズル状組立構造がほぼ完成した状態において簡単に組み付けられるよう、嵌合溝であることが望ましく、嵌合溝の場合には簡単に５角形のます内に押しこむことができる。
【００２０】
上記各辺に設けた接続片３は、少なくとも１対の接続片３からなり、少なくとも１対の接続片３が先端に向かって幅を狭めたり、あるいは広げたりしてテーパ状に形成されていることが望ましい。こうすることによって、サッカーボール等のパズル状組立構造を各単位ピース１および５ごとに順次組みつけていくことができ、その際所定の組み付け状態が保持されるので、接着テープ等を使用しないで簡単に組み付けることができるのである。
【００２１】
また、隣接する３つの５角形の単位ピース５の中心にテーパ付きの脚８を突設しておけば、この隣接する３つの５角形の単位ピース５から突き出た脚８により図８のように転がりを防止することができ、置物等としても価値あるものとすることが可能となる。
【００２２】
図９は５角形の単位ピース５を取り除いた状態を示すものであり、接続片３が５角形の単位ピース５に向けて突出しており、その状態で５角形の単位ピース５の嵌合溝もしくは嵌合孔７を接続片３に向けて押し込むことにより簡単に取り付けることができ、また取り外しも簡単である。
【００２３】
図１０は各単位ピース１，５の輪郭線を示すものであり、各単位ピース１，５がパズル状に組み付けられている状態が一目でわかるようになっている。
【００２４】
上記各単位ピース１および５を構成する素材としては、上記した透明ないし着色プラスチックや耐衝撃性のあるガラス、軽量金属、その他の素材を使用することができる。
【００２５】
この発明に使用される透明ないし着色プラスチックとしては、塩化ビニル樹脂、エチレンー酢ビコポリマー、アクリル樹脂などの着色が簡単にでき、かつ透明な材料が好適に使用される。もちろん、引っ張り強度を高めたり、傷が付きにくいように処理を施しておくことが望ましいことはいうまでもない。
【００２６】
この発明のサッカーボール等のパズル状組立構造は、サッカーボールや、バスケットボール、その他の球技用ボールの形状を有する構造物を簡単に提供することができ、また球技用ボールの形状を有する構造物を、記念品や置物、貯金箱（５角形もしくは６角形の単位ピースのいずれか、あるいは双方にまたがって硬貨の投入口を形成することができる）、組立玩具等として利用可能である。
【００２７】
【発明の効果】
この発明のサッカーボール等のパズル状組立構造は以上のように構成したので、簡単にパズルのように組立が可能であり、しかも接合部分に大きな負荷がかかることがほとんどないので、耐久性が大幅に向上したサッカーボール等のパズル状組立構造を提供することが可能となった。
【００２８】
なお、隣接する３つの５角形の単位ピースの中心にテーパ付きの脚を突設しておけば、この隣接する３つの５角形の単位ピースから突き出た脚により転がりを防止することができ、置物等としても価値あるものとすることが可能となる。
【図面の簡単な説明】
【図１】サッカーボール等のパズル状組立構造の１実施例を示し、６角形の単位ピースの斜視図である。
【図２】その背面図である。
【図３】その断面図である。
【図４】５角形の単位ピースの斜視図である。
【図５】その背面図である。
【図６】６角形の単位ピースと５角形の単位ピースとを組み付けた状態の部分背面図である。
【図７】その断面図である。
【図８】組立完了時の側面図である。
【図９】単位ピースを一部取り除いた状態の斜視図である。
【図１０】組立完了時の各単位ピースの輪郭線を示す図である。
【符号の説明】
１ 単位ピース
１ａ 第１の単位ピース
１ｂ 第２の単位ピース
２ 垂下片
３ 接続片
４ 嵌合溝もしくは嵌合孔
５ ５角形の単位ピース
６ 垂下片
７ 嵌合溝もしくは嵌合孔
８ 脚
【図１】
0003956094.tif 000002
【図２】
0003956094.tif 000003
【図３】
0003956094.tif 000004
【図４】
0003956094.tif 000005
【図５】
0003956094.tif 000006
【図６】
0003956094.tif 000007
【図７】
0003956094.tif 000008
【図８】
0003956094.tif 000009
【図９】
0003956094.tif 000010
【図１０】
0003956094.tif 000011